(57)【特許請求の範囲】
【請求項１】
携帯時計機構部の渦巻バネ（１０）であって、互いに巻き入れられる複数の共平面の葉箔（１０ａ、１０ｂ）を含むことと、
各葉箔の内端が単一のひげ玉（１２）に固定されることと、
前記葉箔（１０ａ、１０ｂ）、前記ひげ玉（１２）が一枚岩的に作られることと、
各葉箔の外端が取り付け機関を受ける少なくとも一部を設けられた剛性の枠（１４）により互いに接続され、前記枠（１４）、前記葉箔（１０ａ、１０ｂ）および前記ひげ玉（１２）が一枚岩的に作られることと、
前記葉箔の最後の巻き体が、能動部品の重心を弾性トルクの作用中心に至らせるように配列された補強材（１８）を含むことと、
を特徴とする、渦巻バネ。
【請求項２】
３６０°／ｎだけ相殺されるｎ個の葉箔を含むことを特徴とする、請求項１に記載の渦巻バネ。
【請求項３】
ｎが２および４の間（境界が含まれる）であることを特徴とする、請求項２に記載の渦巻バネ。
【請求項４】
各葉箔の螺距が一定であることを特徴とする、請求項１乃至３の一項に記載の渦巻バネ。
【請求項５】
各葉箔の螺距が可変であることを特徴とする、請求項１乃至３の一項に記載の渦巻バネ。
【請求項６】
前記枠（１４）が、幅広の区域（１４ａ）および少なくとも１つの細い区域（１４ｂ）を含み、前記細い区域が、前記渦巻バネを前記携帯時計機構部に取り付けるための天府バネ桿を受けるように意図されることを特徴とする、請求項１乃至５の一項に記載の渦巻バネ。
【請求項７】
前記枠（１４）が、前記渦巻バネを前記携帯時計機構部に取り付けるための天府バネ桿を受けるように意図される少なくとも１つの穴（１６）を含むことを特徴とする、請求項１乃至５の一項に記載の渦巻バネ。
【請求項８】
前記枠がくり抜かれた区域を含むことを特徴とする、請求項１乃至７の一項に記載の渦巻バネ。
【請求項９】
前記枠が、その中心が渦巻体の中心である円を形成することを特徴とする、請求項１乃至８の一項に記載の渦巻バネ。
【請求項１０】
前記枠が、３６０°／ｎの倍数である角度を有する円弧を形成することを特徴とする、請求項１乃至８の一項に記載の渦巻バネ。
【請求項１１】
ことによるとシリカの層またはダイヤモンドの層で覆われた、ケイ素、特に単結晶ケイ素の基礎をもって作られることを特徴とする、請求項１乃至１０の一項に記載の渦巻バネ。
【請求項１２】
成長により、その後強腐食により得られたダイヤモンドの基礎をもって作られることを特徴とする、請求項１乃至１０の一項に記載の渦巻バネ。
【発明の詳細な説明】
【技術分野】
【０００１】
技術分野
本発明は、機械時計学の分野に関する。それは、より具体的には、機械式携帯時計の調整器機関を装備するように意図される渦巻バネに関する。
【背景技術】
【０００２】
発明の背景
置時計、振り子、および機械式または電子式の携帯時計には、その名前が示すとおり、時計の稼働を調整することを可能にする調整器機関が常にある。機械式携帯時計の場合において、調整器機関は天府および渦巻バネにより形成される。
【０００３】
伝統的に、バネは一般的な金属の葉箔であり、長方形の区分がそれ自体にアルキメデスの渦巻線の形状で巻かれる。それは、ひげ玉と呼ばれる部品により、天府心棒上にあるその中心に固定される。渦巻体の外側は、天府バネ桿と呼ばれる部品により、天府支えと呼ばれる天府に固定される。天府バネ桿は、天府支えに直接的に、または移動性の天府バネ桿の支持具を通じての何れかで固定される。
【０００４】
このような渦巻体の組立体は、携帯時計の等時性にとって最適でない。実際に、渦巻体の中心はその展開の最中に移動し、それは天府心棒の枢軸に反力を引き起こす。枢軸に及ぼされる力の強度は、概して観測される等時性に大いに関与する。
【０００５】
天府心棒上に反対方向に据え付けられ、異なる平面内に配列された２つの渦巻体を設けられた時計が知られている。Ｈ．Ｍｏｓｅｒ  ＆  Ｃｉｅ社は、天府の両側に反対方向に配列された２つの渦巻体を設けられた脱進機を提供している。文献ＥＰ２０６３３２５（欧州特許出願明細書第２０６３３２５号）は、同心円状にかつ共平面上に配列された２つの伝統的な渦巻体を有する機構を提案している。伝統的に作られた渦巻体のための正確な特徴を得ることは困難であることと、従って、２つの渦巻体が僅かでも最も頻繁に異なることになることとが知られている。そのため、異なる特性を有する２つの渦巻体を設けられたこのような天府の調節、および２つの渦巻体により及ぼされる力の整列は、困難を呈する。そのうえ、２つの渦巻体の間に起こり得る差は、天府心棒に及ぼされる力の結果を、ほとんどの場合において、非無効でかつ制御するのを困難にする。
【０００６】
本発明は、従って、携帯時計の等時性を改善することを可能にし、一方で実装するのが簡単なままである渦巻体を提案することが狙いである。
【発明の概要】
【０００７】
発明の簡単な記載
より具体的には、本発明は、請求項１に定義されているとおりの携帯時計機構部の渦巻バネに関する。
【０００８】
本発明の他の特長は、従属請求項にて提供される。
【０００９】
図面の簡単な記載
本発明の他の特長は、その中で図１乃至６が、上面図にて、本発明による異なる実施形態の線図を示す添付の図面を参照して与えられる、以下の記載を読む際により明確に現れるだろう。
【図面の簡単な説明】
【００１０】
【図１】平坦な渦巻バネを示す。
【図２】枠を製作するための異なる実施形態を提案する。
【図３】枠を製作するための異なる実施形態を提案する。
【図４】枠を製作するための異なる実施形態を提案する。
【図５】枠を製作するための異なる実施形態を提案する。
【図６】各葉箔の外巻き体が補強材を設けられる渦巻バネを提案する。
【発明を実施するための形態】
【００１１】
発明の詳細な記載
図１は、平坦な渦巻バネ１０を示す。それは、ひげ玉１２と関連する第１の内端を備える。
【００１２】
特に本発明に対して、ひげ玉１２から、いくつかの葉箔が配置され、図面はそれらのうち２つを示す。従って、同じ平面内でかつ同じ方向に巻かれた、第１の葉箔１０ａおよび第２の葉箔１０ｂがある。葉箔１０ａおよび１０ｂは互いに巻き入れられ、一方の巻き体が他方の巻き体の間に挿入される。第１の葉箔１０ａおよび第２の葉箔１０ｂは、互いに対して１８０°に配列される。当該葉箔は同一であり、そのため、当該葉箔の端は円上に位置し、かつ互いから１８０°に位置する。
【００１３】
有利なことに、葉箔の外端は剛性の枠１４により互いに接続され、すなわち、当該枠はバネにより及ぼされる弾性トルクに寄与しない（または実際的に寄与しない）。枠１４の形状は、渦巻体の中心に対して円形に対称である。好ましくは、当該枠は、渦巻体に対して同心の円形路を辿る。
【００１４】
典型的には、ケイ素型材料を用いる形成技術により可能にされるように、ひげ玉１２は渦巻体の残部と一体に作られる。有利なことに、葉箔が同一の弾性特徴を有するために、２つの葉箔１０ａおよび１０ｂ、ひげ玉１２および枠１４は、一枚岩的に単一の部品に作られる。そのため、本発明による渦巻体を、強腐食技術を用いて成形することができる材料、具体的には、特に、シリカの層により潜在的に覆われた単結晶ケイ素から作られたケイ素系の渦巻体、しかしまた、成長その後強腐食により得られたダイヤモンドから作られた渦巻体、またはＤＣＳ（ダイヤモンド被膜ケイ素）から作られた渦巻体、すなわち、ダイヤモンドで覆われたケイ素の渦巻体から作ることができる。
【００１５】
２つの同一の葉箔１０ａおよび１０ｂの対称的な配列のために、当該葉箔のそれぞれは、他方の葉箔により及ぼされる力を相殺する天府心棒に力を及ぼす。そのため、当該心棒上の反作用は最小化されるか、または実際的に無効であり、それは振動子の等時性を改善することを可能にする。
【００１６】
枠１４は、機構部上に固定された天府バネ桿に渦巻体を接続するために、取り付け機関、好ましくは天府バネ桿を支持することができるように配列される。図１の実施形態において、当該枠は、当業者により知られている、溝付き天府バネ桿を受けるように適合された幅を有する部分を有する。より具体的には、当該枠は、天府バネ桿を受ける幅広の区域１４ａおよびより細い区域１４ｂを有する。後者は、当業者により選択される、接着または溶接等の適合した技術を用いて当該枠に固定される。
【００１７】
図２乃至５は、枠１４を製作するための異なる実施形態を提案する。図２乃至４において、枠１４は半円形であり、かつ１８０°に配列された葉箔の２つの端を接続する。図２において、当該枠の幅広の区域１４ａはくり抜かれ、それはその外区域内の渦巻体を軽くすることを可能にし、それは衝撃に備えて天府バネ桿上の力を制限するために常に興味深い。
【００１８】
図３において、枠１４はいくつかの細い区域１４ｂを有し、当該枠の周りのいくつかの場所に天府バネ桿を位置付けることを可能にし、それは機構部の構築に柔軟性を提供することができる。
【００１９】
図４は、非溝付き天府バネ桿を受容する穴１６を設けられた枠を提案し、それを当該穴の中に収容および固定することができる。図５の枠１４は同じように配列されるが、その２つの側面により葉箔の外端を接続することにより完全な円を作る。そのため、質量分布は完全に対称である。当該枠が穴を設けられる構成においてさえ、当該枠をくり抜くことができるだろうということに留意されたい。いくつかの穴を、当該枠上に配列することもできる。
【００２０】
いくつかの天府バネ桿（葉箔ごとに１つの天府バネ桿）を含む天府支えにより枠の機能を果たし、葉箔の端を固定することを可能にすることができることにも留意されたい。その場合において、枠はそのようなものとして取り除かれ、その後、ひげ玉および葉箔のみが一枚岩的である。
【００２１】
図はただその中で渦巻バネ１０が２つの葉箔を含む例を示すのみであるが、より多くを提供することができる。そのため、ひげ玉の周りに３６０°／ｎに分布されたｎ個の同一の葉箔を有することが可能であり、外端も３６０°／ｎに分布される。このような配列は、天府心棒の周りの葉箔および力の分布を改善することを可能にし、従って、より良好な補償を可能にする。
【００２２】
このような場合において、ｎ個の葉箔をもって、円弧の形状にある枠１４は、当業者により選択されるように、３６０°／ｎ、またはその値の倍数の角度を画定する。完全な円形の枠も可能である。
【００２３】
各葉箔は他の葉箔の巻の間に巻かれる際に、所与の寸法を有する渦巻体について、葉箔の数を増加させることは、一方では、各葉箔の有効長の低減を引き起こすことが理解される。そのため、その有効長がＬであり、厚さがｅであり（当該厚さは、渦巻体の平面内にある葉箔の寸法である）、かつ巻き体の間に螺距ｐを有する単一の葉箔を設けられた、表面積Ｓを占める従来の渦巻体と比較して、厚さｅのｎ個の葉箔、各巻き体について螺距ｐを有する本発明による渦巻体は同じ表面Ｓを占め、各葉箔は長さＬ／ｎの有効長を有することになる。これは結果的に葉箔の剛直性を増加させるが、各葉箔の厚さを減少させることによりそれを相殺することができ、それは有効長を増加させかつ剛直性を減少させることを可能にする。そのため、従来の渦巻バネを用いて得られるトルクに応じて、全ての所望のトルクを得ることは容易である。所望の長さを有する葉箔を得るために、より大きい表面積を占める渦巻体を作ることを考慮することも可能である。実際的な観点から、２個、３個または４個の葉箔を有する渦巻体が好適であるだろう。
【００２４】
図６は、その各葉箔の外巻き体が補強材１８を設けられ、渦巻体の心立てを補正し、能動部品の重心を弾性トルクの作用中心に、すなわち渦巻体の中心に至らせることを可能にする渦巻バネ１０を提案する。このような補強材１８は、渦巻体の展開の同心性を改善し、枢軸にて反作用をさらに低減することを可能にする。補強材１８それ自体は、渦巻体の弾性トルクを画定することに関与しないことに留意されたい。図６に示されるように、最後の渦体を分離する螺距は、補強材を含む、最後から一つ手前の巻き体からの一定の距離にある。特に補強材にて、他の巻き体を分離する螺距よりも小さい、最後の巻き体および最後から一つ手前の巻き体の間の距離を考慮することも恐らく可能であるだろう。
【００２５】
本記載は、単に本発明の非限定的な例解として提供されたものであり、当業者は、請求の範囲により定義される範囲を超えることなく、上記に提供されている記載から直接従って様々な代替物を提供することもできる。具体的には、各葉箔の螺距は、図面に示されるように一定であり得るが、変化することもあり得る。そのうえ、天府バネ桿を、別の固定様式、具体的には、枠を天府支えと直接固定するネジ釘と置き替えることができる。
【図１】
0005507690.tif 000002
【図２】
0005507690.tif 000003
【図３】
0005507690.tif 000004
【図４】
0005507690.tif 000005
【図５】
0005507690.tif 000006
【図６】
0005507690.tif 000007